(57)【要約】【課題】ボタン部品等の操作部材の数を増やさず、煩わしい操作をせずにライブビュー表示の制御ができ、動画記録のための撮影設定の保持を容易にすることを目的とする。【解決手段】本発明の撮像装置２００は、第１の操作を受け付けたことに応じて、ライブビュー表示及び動画記録の制御を行う第１の制御手段と、第１の操作とは異なる第２の操作に、動画記録の機能を割り当てる設定手段と、設定手段により、第２の操作に動画記録の機能が割り当てられた場合に、第２の操作を受け付けたことに応じて、動画記録の制御を行い、第１の操作を受け付けたことに応じて、ライブビュー表示の制御を行う第２の制御手段と、を有する。【選択図】図５Ａ
2017046240.tif 000002
【特許請求の範囲】
【請求項１】
第１の操作を受け付けたことに応じて、ライブビュー表示及び動画記録の制御を行う第１の制御手段と、
前記第１の操作とは異なる第２の操作に、動画記録の機能を割り当てる設定手段と、
前記設定手段により、前記第２の操作に動画記録の機能が割り当てられた場合に、前記第２の操作を受け付けたことに応じて、動画記録の制御を行い、前記第１の操作を受け付けたことに応じて、ライブビュー表示の制御を行う第２の制御手段と、を有することを特徴とする撮像装置。
【請求項２】
前記第１の制御手段及び前記第２の制御手段のライブビュー表示の制御は、ライブビュー表示の開始及び終了の制御であり、
前記第１の制御手段及び前記第２の制御手段の動画記録の制御は、動画記録の開始及び終了の制御であることを特徴とする請求項１に記載の撮像装置。
【請求項３】
前記第１の制御手段は、前記第２の操作を受け付けたことに応じて、静止画記録を行うことを特徴とする請求項１又は２に記載の撮像装置。
【請求項４】
ライブビューボタンと、
レリーズボタンと、をさらに備え、
前記ライブビューボタンの操作は前記第１の操作であり、前記レリーズボタンの操作は前記第２の操作であることを特徴とする請求項１乃至３のいずれか１項に記載の撮像装置。
【請求項５】
遠隔操作が可能な操作手段をさらに備え、
前記操作手段の操作は前記第２の操作であることを特徴とする請求項１乃至４のいずれか１項に記載の撮像装置。
【請求項６】
前記第２の制御手段は、前記第２の操作を受け付けたとき、ライブビュー表示が実行されておらず、かつ、動画記録が実行されていない場合、ライブビュー表示を開始することを特徴とする請求項１乃至５のいずれか１項に記載の撮像装置。
【請求項７】
前記第２の制御手段は、前記第２の操作を受け付けたとき、ライブビュー表示が実行されておらず、かつ、動画記録が実行されていない場合、ライブビュー表示を開始し、さらに動画記録を開始することを特徴とする請求項１乃至６のいずれか１項に記載の撮像装置。
【請求項８】
ライブビュー表示の実行中に、動画記録が所定時間されていないとき、ライブビュー表示の実行を終了する第３の制御手段をさらに備えることを特徴とする請求項１乃至７のいずれか１項に記載の撮像装置。
【請求項９】
撮像手段と、
ライブビュー表示の実行中に、前記撮像手段が所定の温度に達したとき、ライブビュー表示の実行を終了する第４の制御手段と、をさらに備えることを特徴とする請求項１乃至８のいずれか１項に記載の撮像装置。
【請求項１０】
第１の操作を受け付けたことに応じて、ライブビュー表示及び動画記録の制御を行う第１の制御ステップと、
前記第１の操作とは異なる第２の操作に、動画記録の機能を割り当てる設定ステップと、
前記設定ステップにより、前記第２の操作に動画記録の機能が割り当てられた場合に、前記第２の操作を受け付けたことに応じて、動画記録の制御を行い、前記第１の操作を受け付けたことに応じて、ライブビュー表示の制御を行う第２の制御ステップと、を有することを特徴とする撮像装置の制御方法。
【請求項１１】
第１の操作を受け付けたことに応じて、ライブビュー表示及び動画記録の制御を行う第１の制御ステップと、
前記第１の操作とは異なる第２の操作に、動画記録の機能を割り当てる設定ステップと、
前記設定ステップにより、前記第２の操作に動画記録の機能が割り当てられた場合に、前記第２の操作を受け付けたことに応じて、動画記録の制御を行い、前記第１の操作を受け付けたことに応じて、ライブビュー表示の制御を行う第２の制御ステップと、をコンピュータに実行させるためのプログラム。
【発明の詳細な説明】
【技術分野】
【０００１】
本発明は、撮像装置、撮像装置の制御方法及びプログラムに関する。
【背景技術】
【０００２】
電子スチルカメラ等の撮像装置には、ＣＣＤやＣＭＯＳセンサ等の撮像素子が備えられており、光学系により撮像素子上に結像された光学像を光電変換することにより、画像信号として扱うことが可能となる。このようにして得られた画像信号を撮像装置に設けられた表示装置に表示（ライブビュー表示）させることにより、表示装置を電子ビューファインダとして機能させることができる。
一方で、表示装置が電子ビューファインダとして機能している間は、光電変換処理によって撮像素子の温度が上昇する。撮像素子の温度が上昇すると、光電変換処理された画像信号にはノイズが発生して画質劣化が生じることが知られている。
【０００３】
特許文献１には、上述の画質劣化を防止するために、撮像素子の温度が限界設定値を超過した場合に警告を表示し、さらに予め定められた使用限界温度に達した場合に、ライブビュー表示を強制的に停止させる撮像装置が開示されている。
また、近年の電子スチルカメラにおいては、ボタン部品点数の削減のため、動画撮影トリガ機能とライブビュー表示開始機能とを一つのボタンに割り当てることがある。このような電子スチルカメラでは、ライブビュー表示中にこのボタンを押すことで動画撮影を行うため、このボタンによってライブビュー表示を終了することができない。ユーザは、電源をオフにしたり、動画モードを抜ける操作をしたりして、ライブビュー表示を終了する必要がある。
【先行技術文献】
【特許文献】
【０００４】
【特許文献１】特開２００９−０３３５０８号公報
【発明の概要】
【発明が解決しようとする課題】
【０００５】
動画記録の間はライブビュー表示の状態が継続されるため、撮像素子の温度上昇による画質劣化が特に起こりやすく、動画記録を行わないときユーザはライブビュー表示を終了する必要がある。このため、ユーザが動画記録を繰り返す際には頻繁にライブビュー表示の終了の操作を行う必要がある。
しかしながら、上述した構成の電子スチルカメラは、ライブビュー表示の終了のために、電源レバーを操作して電源をオフにしたり、動画モードを抜けるためにモードダイヤルを操作したりする必要があり煩わしい。また、電子スチルカメラは、電源をオフにしたり動画モードを抜けたりすると、動画記録のための撮影設定を保持しないことがあり、ユーザが再度設定をし直す必要がある。
【０００６】
本発明は上記のような点に鑑みてなされたものであり、ボタン部品等の操作部材の数を増やさず、煩わしい操作をせずにライブビュー表示の制御ができ、動画記録のための撮影設定の保持を容易にすることを目的とする。
【課題を解決するための手段】
【０００７】
本発明の撮像装置は、第１の操作を受け付けたことに応じて、ライブビュー表示及び動画記録の制御を行う第１の制御手段と、前記第１の操作とは異なる第２の操作に、動画記録の機能を割り当てる設定手段と、前記設定手段により、前記第２の操作に動画記録の機能が割り当てられた場合に、前記第２の操作を受け付けたことに応じて、動画記録の制御を行い、前記第１の操作を受け付けたことに応じて、ライブビュー表示の制御を行う第２の制御手段と、を有する。
【発明の効果】
【０００８】
本発明によれば、第１の操作を受け付けたことに応じてライブビュー表示の制御を行い、第２の操作を受け付けたことに応じて、動画記録の制御を行うようにできる。このため、動画記録を繰り返すときでも、煩わしい操作をせずに、ライブビュー表示の開始や終了ができる。また、ライブビュー表示の制御の際に、電源をオフにすること等は不要であるため、動画記録のための撮影設定の保持が容易である。
また、第１の操作を受け付けたことに応じて、ライブビュー表示及び動画記録の制御を行うようにできる。このため、第２の操作にライブビュー表示及び動画記録以外の機能を割り当てることができるため、操作部材の数を抑えられる。
【図面の簡単な説明】
【０００９】
【図１】撮像装置の構成を示すブロック図である。
【図２】撮像装置の外観図であって、（ａ）はレンズユニットが装着される側から見た外観図であり、（ｂ）は液晶表示部の側から見た外観図である。
【図３】動画記録の実行方法を設定する処理のフローチャートである。
【図４】動画記録の実行方法の設定を行うための画面の図であって、（ａ）は選択画面の図であり、（ｂ）はメッセージ表示画面の図である。
【図５Ａ】動画記録及びライブビュー表示の制御のフローチャートである。
【図５Ｂ】ライブビュー表示の開始の処理のフローチャートである。
【図５Ｃ】ライブビュー表示の終了の処理のフローチャートである。
【図５Ｄ】動画記録の開始及び終了の処理のフローチャートである。
【図５Ｅ】ライブビュー表示のタイムアウト処理のフローチャートである。
【発明を実施するための形態】
【００１０】
以下、添付図面を参照して、本発明の好適な実施形態について説明する。
はじめに、図１を参照して本実施形態の撮像装置２００の構成を説明する。図１は撮像装置２００の構成を示すブロック図である。
レンズユニット１００は、交換可能な撮影レンズを搭載するレンズユニットである。レンズ５は通常、複数枚のレンズから構成されるが、図１では簡略して１枚のレンズのみを示す。通信端子６はレンズユニット１００が撮像装置２００側と通信を行うための通信端子であり、通信端子１０は撮像装置２００がレンズユニット１００側と通信を行うための通信端子である。レンズユニット１００は、通信端子６及び１０を介してマイクロコンピュータ４０と通信する。また、レンズユニット１００は、レンズシステム制御回路４によって絞り駆動回路２を介して絞り１の制御を行い、ＡＦ駆動回路３を介してレンズ５の位置を変位させて焦点を合わせる。
【００１１】
ＡＥセンサ１５は、レンズユニット１００を通った被写体の輝度を測光する。
ＡＦセンサ１１は、マイクロコンピュータ４０にデフォーカス量情報を出力する。マイクロコンピュータ４０は、このデフォーカス量情報に基づいてレンズユニット１００を制御する。
クイックリターンミラー１２は、露光の際にマイクロコンピュータ４０の指示により、アップダウンする。クイックリターンミラー１２のアップダウンには不図示のアクチュエータが使われる。
撮影者は、ペンタプリズム１４及びファインダー１６を介して、フォーカシングスクリーン１３を観察することで、レンズユニット１００を通して得た被写体の光学像の焦点や構図の確認が可能となる。
【００１２】
フォーカルプレーンシャッター１７は、マイクロコンピュータ４０の制御で撮像素子２０の露光時間を自由に制御できる。
光学フィルター１８は一般的にローパスフィルター等から構成され、フォーカルプレーンシャッター１７から入ってくる光の高周波成分をカットして、撮像素子２０に被写体像を導光する。
撮像素子２０は、一般的にＣＣＤやＣＭＯＳ等が用いられ、レンズユニット１００を通して撮像素子２０上に結像された被写体像を光電変換して電気信号（画像信号）として取り込む。
ＡＭＰ回路２１は、撮像素子２０によって取り込まれた電気信号に対して、設定されている撮影感度に応じたゲインで電気信号を増幅する。
Ａ／Ｄ変換回路２２は撮像素子２０によって電気信号に変換されたアナログ信号をデジタル信号に変換する。
【００１３】
画像処理回路２３は、Ａ／Ｄ変換回路２２によってデジタル信号に変換された画像データに対して、フィルター処理、色変換処理、ガンマー／ニー処理を行い、メモリコントローラ２７に出力する。また、画像処理回路２３はＤ／Ａ変換回路を内蔵する。画像処理回路２３は、Ａ／Ｄ変換回路２２によってデジタル信号に変換された画像データやメモリコントローラ２７により入力される画像データをアナログ信号に変換して液晶駆動回路２４を介して液晶表示部２５に出力することもできる。これらの画像処理回路２３による画像処理及び表示処理は、マイクロコンピュータ４０により切り替えられる。
【００１４】
液晶表示部２５は画像を表示するための背面モニタである。画像を表示するディスプレイであれば液晶方式に限らず、有機ＥＬ等、他の方式のディスプレイであってもよい。
メモリコントローラ２７は、画像処理回路２３から入力された未処理の画像データをバッファメモリ２６に格納したり、画像処理済みの画像データを記録媒体２８に格納したりする。また、逆にバッファメモリ２６や記録媒体２８から画像データを取り込んで画像処理回路２３に出力したりもする。メモリコントローラ２７は、さらに、外部インタフェース２９を介して送られてくる画像データを記録媒体２８に格納したり、記録媒体２８に格納されている画像データを、外部インタフェース２９を介して外部に出力したりする。外部インタフェース２９としては、ＵＳＢ、ＩＥＥＥ、ＨＤＭＩ（登録商標）等が例として挙げられる。記録媒体２８は、メモリカード等の着脱可能な記録媒体である。ただし内蔵メモリであってもよい。
タイミング制御回路３２は、マイクロコンピュータ４０の指示により、撮像素子２０の駆動タイミングを制御する。
【００１５】
電源制御回路３５は、ＡＣ電源部３０又は２次電池部３１より供給される電源を制御する。電源制御回路３５は、マイクロコンピュータ４０から指示を受けて電源のオンオフを行う。また、電源制御回路３５は、電源状態検知回路３４により検知された現在の電源状態の情報や電源種類検知回路３３により検知された現在の電源の種類の情報をマイクロコンピュータ４０に通知する。
光学フィルター振動制御回路３７は、光学フィルター１８に接続されている圧電素子１９を振動させる回路である。光学フィルター振動制御回路３７は、マイクロコンピュータ４０の指示に従って、振動の振幅及び振動時間が所定の値になり振動の軸方向が所定の方向になるように圧電素子を振動させるための制御を行う。
不揮発性メモリ３８は、不揮発性の記録媒体であり、ユーザが任意に設定したシャッター速度、絞り値、撮影感度等の設定値やその他の各種データを、撮像装置２００に電源が入れられていない状態でも保存できる。
【００１６】
リモートコントローラ端子接続検知回路３９は、図２に示す撮像装置２００上のリモートコントローラ接続端子２１４にリモートコントローラ３００が接続されているか否かを検出し、マイクロコンピュータ４０に通知する。
操作部７０は、ユーザからの操作を受け付ける入力部としての各種操作部材である。操作部７０には、図２に示すレリーズボタン２０１、メイン電子ダイヤル２０２、サブ電子ダイヤル２０３、電源スイッチ２０４、プロテクトボタン２０５、メニューボタン２０６、削除ボタン２０７、拡大モードボタン２０８が含まれる。さらに、操作部７０には、再生指示ボタン２０９、シングル／マルチ切り替えボタン２１０、マルチコントローラ２１１が含まれる。
マイクロコンピュータ４０は、撮像装置２００に含まれる各部を制御する制御部である。マイクロコンピュータ４０は、シャッター制御回路３６を介してフォーカルプレーンシャッター１７を制御したり、撮影画像のカラーバランス情報をもとにホワイトバランス調整をしたりする。マイクロコンピュータ４０は、不揮発性メモリ３８に記録されたプログラムを、ワークメモリとして使うバッファメモリ２６に展開して実行することで後述の各種処理を実行する。なお、ワークメモリには、不図示の揮発性メモリを用いてもよい。
【００１７】
次に、図２（ａ）及び図２（ｂ）に示す撮像装置２００の各部について説明する。図２（ａ）はレンズユニット１００が装着される側から見た撮像装置２００の外観図であり、図２（ｂ）は液晶表示部２５の側から見た撮像装置２００の外観図である。
レリーズボタン２０１は、撮影の準備指示及び撮影指示を行うためのボタンである。レリーズボタン２０１を半押しすることで、被写体の輝度の測定や合焦が行われる。また、レリーズボタン２０１を全押しすることで、シャッターが切られ画像の撮影が行われる。半押しの状態でマイクロコンピュータ４０に電気的に通知される信号を信号Ｓｗ１、全押しの状態でマイクロコンピュータ４０に電気的に通知される信号を信号Ｓｗ２と便宜上呼ぶこととする。なお、信号Ｓｗ２がマイクロコンピュータ４０に送られたときの撮像装置２００の動作の詳細は後述する。
メイン電子ダイヤル２０２は、回転操作部材であり、ユーザはメイン電子ダイヤル２０２を回すことでシャッター速度や絞り等の設定値の設定を行ったり、拡大モードでの拡大倍率の微調整を行ったりする。
サブ電子ダイヤル２０３は、回転操作部材であり、ユーザはサブ電子ダイヤル２０３を回すことで、絞りや露出補正等の設定を行ったり、液晶表示部２５に画像が表示されている状態での画像の１枚送り操作等を行ったりする。
【００１８】
電源スイッチ２０４は、電源のオン及びオフを行うための操作部材である。
プロテクトボタン２０５は、撮像装置内外の記録媒体に保存されている画像に対して、プロテクトやレーティングといった処理を施すためのボタンである。
メニューボタン２０６は、各種設定画面を液晶表示部２５に表示させるためのボタンである。
削除ボタン２０７は、撮像装置内外の記録媒体に保存されている画像の削除を指示するためのボタンである。
拡大モードボタン２０８は、再生状態において、拡大モードへの遷移指示（拡大モードの開始指示）、及び、拡大モードから抜ける指示（拡大モードの終了指示）をするためのボタンである。
【００１９】
再生指示ボタン２０９は、撮像装置内外の記録媒体に保存されている画像を液晶表示部２５に表示させるためのボタンである。
シングル／マルチ切り替えボタン２１０は、測定した被写体の輝度をロックするように指示したり、再生状態においてシングル表示にするかマルチ表示にするかを切り替える指示をしたりするためのボタンである。
マルチコントローラ２１１は、オートフォーカスの開始ポイントである測距点の設定を行ったり、拡大画像表示状態において拡大枠（拡大している範囲）の移動を行ったりするための、複数方向に操作可能な操作部材である。
【００２０】
ライブビューボタン２１２は、撮像装置２００のライブビュー表示（スルー表示）を開始したり、撮像装置２００がライブビュー表示を実行しているときに動画記録の開始又は終了したりするためのボタンである。なお、ライブビューボタン２１２が押下された時の撮像装置２００の動作の詳細は後述する。
ＦＥロックボタン２１３は、被写体の任意の部分に適正調光させるストロボ撮影機能を開始するためのボタンである。
撮影モードダイヤル２１５は、複数の撮影モードの中から所望の撮影モードを選択して設定するためのダイヤル操作部材である。複数の撮影モードには、マニュアルモード、シャッター速度優先モード、絞り優先モード、プログラムＡＥモード、バルブモード、全自動モード、ストロボ発行禁止モード及びクリエイティブ全自動モードが含まれる。さらに、複数の撮影モードには、ポートレートモード、風景モード、クローズアップモード、スポーツモード、夜景ポートレートモード及び動画モードが含まれる。
【００２１】
リモートコントローラ接続端子２１４は、リモートコントローラ３００を接続するためのインタフェースとなる端子であり、レリーズボタン２０１と電気的に接続する。
リモートコントローラ３００は、レリーズボタン２０１を押下せずに画像の撮影を行うために有線でリモートコントローラ接続端子２１４に接続し、使用される遠隔操作が可能な操作装置である。
リモートレリーズボタン３０１は、リモートコントローラ３００上に配置されるレリーズボタンである。リモートレリーズボタン３０１も半押し及び全押しの２段階の操作が可能である。リモートコントローラ接続端子２１４にリモートコントローラ３００を接続した状態で、リモートレリーズボタン３０１を半押しするとマイクロコンピュータ４０に信号Ｓｗ１が通知され、全押しすると信号Ｓｗ２が通知される。ユーザは、リモートコントローラ接続端子２１４にリモートコントローラ３００を接続し、リモートレリーズボタン３０１を押下することで、レリーズボタン２０１を押下せずに画像の撮影等を行うことが可能となる。
【００２２】
次に、図３を参照して、動画記録の実行方法を設定する処理について説明する。図３は、動画記録の実行方法を設定する処理のフローチャートである。図３に示す処理によって、信号Ｓｗ２で動画記録を実行するか否かの設定が行われる。
ステップＳ１００において、マイクロコンピュータ４０は、操作部７０により動画記録の実行方法を設定するメニューを開く操作がされたか否かを判定する。マイクロコンピュータ４０は、この操作がされたときステップＳ１０１に処理を進め、この操作がされていないとき図３に示す処理を終了する。
ステップＳ１０１において、マイクロコンピュータ４０は、撮像装置２００が動画記録可能状態であるか否かを判定する。動画記録可能状態は、撮像装置２００による動画記録が可能な動作モードのことである。撮影モードダイヤル２１５の操作によって動画モードにしたり、メニューボタン２０６を押下して動画記録可能状態にするための設定を行ったりすることで撮像装置２００を動画記録可能状態にできる。撮像装置２００が動画記録可能状態になると、マイクロコンピュータ４０は、液晶表示部２５に動画撮影用のアスペクト比を示す黒帯や動画記録可能時間等の情報を表示する。マイクロコンピュータ４０は、撮像装置２００が動画記録可能状態のときステップＳ１０２に処理を進め、動画記録可能状態ではないときステップＳ１０３に処理を進める。
【００２３】
ステップＳ１０２において、マイクロコンピュータ４０は、選択画面４０１を液晶表示部２５に表示する。選択画面４０１は、図４（ａ）に示すＧＵＩ画面であり、信号Ｓｗ２で動画記録を実行するか否かを設定する画面である。初期設定では、信号Ｓｗ２で動画記録を実行しないように設定されているものとする。信号Ｓｗ２で動画記録を実行しないように設定されているときは、撮像装置２００が動画記録可能状態であっても、マイクロコンピュータ４０は信号Ｓｗ２を受けると静止画の記録を行う。
ステップＳ１０３において、マイクロコンピュータ４０は、メッセージ表示画面４０２を液晶表示部２５に表示する。メッセージ表示画面４０２は、図４（ｂ）に示す画面であり、動画記録の実行方法の設定ができない旨のメッセージを表示する画面である。
ステップＳ１０４において、マイクロコンピュータ４０は、選択画面４０１で、信号Ｓｗ２により動画記録を実行することが選択されたか否かを判定し、選択されたときステップＳ１０５に処理を進め、選択されなかったときステップＳ１０６に処理を進める。
ステップＳ１０５において、マイクロコンピュータ４０は、信号Ｓｗ２で動画記録を実行することを設定する。この設定は、マイクロコンピュータ４０が、信号Ｓｗ２で動画記録を実行することを不揮発性メモリ３８に記憶させることで行う。
ステップＳ１０６において、マイクロコンピュータ４０は、信号Ｓｗ２で動画記録を実行しないことを設定する。この設定は、マイクロコンピュータ４０が、信号Ｓｗ２で動画記録を実行しないことを不揮発性メモリ３８に記憶させることで行う。
【００２４】
以上のように動画記録の実行方法を設定することで、撮像装置２００が動画記録可能状態のときにのみ、すなわちユーザが動画を記録する意思があるときにのみ、信号Ｓｗ２で動画記録を実行するか否かの設定を行うことが可能となる。このため、静止画を撮影したい状況で、誤って、信号Ｓｗ２で動画記録の実行をする設定を行うことがなくなる。
なお、ここでは図４に示す選択画面４０１で、信号Ｓｗ２で動画記録を実行するか否かを設定する例を説明した。リモートレリーズボタン３０１の押下によっても信号Ｓｗ２が送信されるため、選択画面４０１での設定によって、リモートレリーズボタン３０１が押下されたときの動作が変わることになる。しかし、選択画面４０１を使わずに、リモートコントローラ３００がリモートコントローラ接続端子２１４に接続されたこと又は取り外されたことをマイクロコンピュータ４０が検知して、信号Ｓｗ２で動画記録を実行するか否かを設定してもよい。例えば、リモートコントローラ３００が接続されたときに、信号Ｓｗ２で動画記録を実行する設定をし、リモートコントローラ３００が取り外されたときに、信号Ｓｗ２で動画記録を実行しない設定をしてもよい。リモートコントローラ３００がリモートコントローラ接続端子２１４に接続されたこと又は取り外されたことの検知は、リモートコントローラ接続端子２１４からの接続状態の信号をマイクロコンピュータ４０が検出することで行われる。
【００２５】
次に、図５Ａを参照して、動画記録及びライブビュー表示の制御の処理を説明する。図５Ａは動画記録及びライブビュー表示の制御の処理のフローチャートである。図５Ａの処理は、ユーザが撮影モードダイヤル２１５を操作し、撮影モードの中から動画モードを選択したときに開始する。
ステップＳ２００において、マイクロコンピュータ４０は、信号Ｓｗ２で動画記録を実行する設定になっているか否かを、不揮発性メモリ３８を参照して判定する。信号Ｓｗ２で動画記録を実行する設定になっているとき、マイクロコンピュータ４０は、ステップＳ２０１に処理を進め、信号Ｓｗ２で動画記録を実行する設定になっていないとき、ステップＳ２０９に処理を進める。
信号Ｓｗ２で動画記録を実行する設定になっているとき、ステップＳ２０１からステップＳ２０７で説明するように、マイクロコンピュータ４０は次の制御を行う。すなわち、マイクロコンピュータ４０は、ライブビューボタン２１２の押下により発生する信号に応じてライブビュー表示の開始又は終了の処理を行い、さらに、信号Ｓｗ２に応じて動画記録の開始又は終了の処理を行う。
信号Ｓｗ２で動画記録を実行する設定になっていないとき、ステップＳ２０９からステップＳ２１５で説明するように、マイクロコンピュータ４０は次の制御を行う。すなわち、マイクロコンピュータ４０は、ライブビューボタン２１２の押下により発生する信号に応じてライブビュー表示の開始、又は、動画記録の開始若しくは終了の処理を行い、さらに、信号Ｓｗ２に応じて静止画記録の処理を行う。
【００２６】
ステップＳ２０１において、マイクロコンピュータ４０は、ライブビューボタン２１２の押下により送られる信号を受けたか否かを判定し、この信号を受けたときステップＳ２０２に処理を進め、受けていないときステップＳ２０５に処理を進める。
ステップＳ２０２において、マイクロコンピュータ４０は、ライブビュー表示の実行状態を判定する。マイクロコンピュータ４０は、ライブビュー表示が実行されているときステップＳ２０４に処理を進め、実行されていないときステップＳ２０３に処理を進める。
【００２７】
ステップＳ２０３において、マイクロコンピュータ４０は、ライブビュー表示の開始の処理をして、動画記録が可能な状態にする。このライブビュー表示の開始の処理を、図５Ｂを参照して説明する。図５Ｂはライブビュー表示の開始の処理のフローチャートである。
ステップＳ２０３０において、マイクロコンピュータ４０は、クイックリターンミラー１２のアップを行う。
ステップＳ２０３１において、マイクロコンピュータ４０は、設定されている絞り値を通信端子６及び１０を介してレンズシステム制御回路４へ送信し、絞り駆動回路２を介して絞り１を絞り込ませる。
ステップＳ２０３２において、マイクロコンピュータ４０は、フォーカルプレーンシャッター１７を開く。
【００２８】
ステップＳ２０３３において、マイクロコンピュータ４０は、設定されているシャッター速度を基に、タイミング制御回路３２を介して、撮像素子２０の駆動タイミングを制御する。また、ＡＭＰ回路２１は、設定されているＩＳＯ値に応じたゲインで画像信号を増幅する。Ａ／Ｄ変換回路２２は増幅された画像信号をデジタル信号に変換して画像データを生成する。画像処理回路２３は、画像データをバッファメモリ２６に取り込む。
ステップＳ２０３４において、マイクロコンピュータ４０は、バッファメモリ２６に取り込まれた画像データをアナログ信号に変換し、液晶駆動回路２４を介して、液晶表示部２５に出力する。こうして液晶表示部２５に画像データ（ライブビュー画像）が表示される。
ステップＳ２０３５において、マイクロコンピュータ４０は、ライブビュー表示を停止するまでの残時間を保持するライブビュータイマを所定の時間に初期化する。ライブビュータイマは後述するステップＳ２０７及びＳ２１５で減算され、所定時間経過後にライブビュー表示を終了する処理がなされる。
ステップＳ２０３で、上述のステップＳ２０３０からステップＳ２０３５の処理が行われた後、マイクロコンピュータ４０はステップＳ２０５に処理を進める。
【００２９】
ステップＳ２０４において、マイクロコンピュータ４０は、ライブビュー表示の終了の処理をして、撮像装置２００を低消費電力状態にし、撮像素子２０の温度上昇を防ぐ。このライブビュー表示の終了の処理を、図５Ｃを参照して説明する。図５Ｃはライブビュー表示の終了の処理のフローチャートである。
ステップＳ２０４０において、マイクロコンピュータ４０は、バッファメモリ２６に取り込まれたライブビュー画像の液晶駆動回路２４への供給を停止して、ライブビュー画像の表示を終了する。
ステップＳ２０４１において、マイクロコンピュータ４０は、撮像素子２０、ＡＭＰ回路２１及びＡ／Ｄ変換回路２２を休止状態とする。マイクロコンピュータ４０は、画像処理回路２３を休止状態にしてもよい。
ステップＳ２０４２において、マイクロコンピュータ４０は、絞り値に応じて絞り込みを行っていた絞り１を初期の絞り込み位置にリリースする。
ステップＳ２０４３において、マイクロコンピュータ４０は、フォーカルプレーンシャッター１７を閉じる。
ステップＳ２０４４において、マイクロコンピュータ４０は、クイックリターンミラー１２のダウンを行う。
ステップＳ２０４で、上述のステップＳ２０４０からステップＳ２０４４の処理が行われた後、マイクロコンピュータ４０はステップＳ２０５に処理を進める。
【００３０】
ステップＳ２０５において、マイクロコンピュータ４０は、レリーズボタン２０１又はリモートレリーズボタン３０１の全押しにより送られる信号Ｓｗ２を受けたか否かを判定する。マイクロコンピュータ４０は、信号Ｓｗ２を受けたときステップＳ２０６に処理を進め、受けていないときステップＳ２０７に処理を進める。
ステップＳ２０６において、マイクロコンピュータ４０は、動画記録の開始及び終了の処理を行う。この動画記録の開始及び終了の処理を、図５Ｄを参照して説明する。図５Ｄは動画記録の開始及び終了の処理のフローチャートである。
ステップＳ２０６０において、マイクロコンピュータ４０は、動画記録を開始できる状態か否かを判定する。マイクロコンピュータ４０は、記録媒体２８の状態、及び、撮像装置２００が動画記録を実行中であるか否かの情報を取得する。そして、記録媒体２８が記録可能な状態であり、かつ、動画記録が停止中であり、さらにライブビュー表示が実行中のとき、動画記録を開始できる状態と判定し、これ以外のとき動画記録を開始できる状態ではないと判定する。マイクロコンピュータ４０は、動画記録を開始できる状態のときステップＳ２０６１に処理を進め、動画記録を開始できる状態ではないときステップＳ２０６２に処理を進める。
ステップＳ２０６１において、マイクロコンピュータ４０は、動画記録を開始する。
【００３１】
ステップＳ２０６２において、マイクロコンピュータ４０は、動画記録が実行中であるか否かの判定を行う。マイクロコンピュータ４０は、動画記録が実行中のときステップＳ２０６３に処理を進め、動画記録が実行中でないときステップＳ２０６４に処理を進める。
ステップＳ２０６３において、マイクロコンピュータ４０は、動画記録を終了する。
ステップＳ２０６４において、マイクロコンピュータ４０は、動画記録ができない旨の警告を液晶表示部２５に出力する。
なお、記録媒体２８が記録可能な状態であり、かつ、動画記録が停止中であり、さらにライブビュー表示が実行中ではないとき、すなわち、ライブビュー表示が実行中であれば動画記録が開始していたときは、ステップＳ２０６４で次の処理を行ってもよい。すなわち、マイクロコンピュータ４０は、ステップＳ２０６４で警告を出力する代わりに、図５Ｂに示すライブビュー表示の開始処理を実行してもよい。さらに、マイクロコンピュータ４０は、ライブビュー表示の開始処理の後に、動画記録を開始してもよい。
ステップＳ２０６で、上述のステップＳ２０６０からステップＳ２０６４の処理が行われた後、マイクロコンピュータ４０はステップＳ２０７に処理を進める。
【００３２】
ステップＳ２０７において、マイクロコンピュータ４０は、ライブビュー表示のタイムアウト処理を行う。このライブビュー表示のタイムアウト処理を、図５Ｅを参照して説明する。図５Ｅはライブビュー表示のタイムアウト処理のフローチャートである。
ステップＳ２０７０において、マイクロコンピュータ４０は、ライブビュー表示が実行中で、かつ、動画記録を実行していない状態か否かを判定する。マイクロコンピュータ４０は、ライブビュー表示が実行中で、かつ、動画記録を実行していない状態のときステップＳ２０７１に処理を進め、これ以外のときステップＳ２０７４に処理を進める。
【００３３】
ステップＳ２０７１において、マイクロコンピュータ４０は、ライブビュー表示がタイムアウト状態になったか否かを判定する。マイクロコンピュータ４０は、ライブビュータイマを参照し、所定時間ライブビュー表示が実行されているときライブビュー表示がタイムアウト状態になったと判定する。マイクロコンピュータ４０は、ライブビュー表示がタイムアウト状態になったときステップＳ２０７２に処理を進め、タイムアウト状態になっていないときステップＳ２０７３に処理を進める。
ステップＳ２０７２において、マイクロコンピュータ４０は、ライブビュー表示の終了の処理を行い図５Ｅに示す処理を終了する。ライブビュー表示の終了の処理は、図５Ｃに示す処理と同様の処理である。
ステップＳ２０７３において、マイクロコンピュータ４０は、ライブビュータイマを減算する処理をして図５Ｅに示す処理を終了する。
ステップＳ２０７４において、マイクロコンピュータ４０は、ライブビュータイマを初期値に戻す処理をしてタイムアウト時間を延長し、図５Ｅに示す処理を終了する。
ステップＳ２０７で、上述のステップＳ２０７０からステップＳ２０７４の処理が行われた後、マイクロコンピュータ４０はステップＳ２０８に処理を進める。
【００３４】
なお、上述のライブビュー表示のタイムアウト処理では、ライブビュー表示が実行中であり、かつ、動画記録を実行していない状態が所定時間継続すると、タイムアウトによってライブビュー表示を終了させる。しかし、ライブビュー表示が実行中であり、かつ、動画記録を実行しておらず、さらに、撮像装置２００が操作をされていない状態が所定時間継続すると、タイムアウトによってライブビュー表示を終了させるようにしてもよい。
【００３５】
また、上述のライブビュー表示のタイムアウト処理に変えて、又は、ライブビュー表示のタイムアウト処理に加えて、マイクロコンピュータ４０は、撮像素子２０の温度に応じてライブビュー表示を終了する処理を行ってもよい。すなわち、マイクロコンピュータ４０は、撮像素子２０が所定の温度（温度閾値）以上になったことを検出したとき、ライブビュー表示を終了する処理を行ってもよい。また、温度閾値を２つ設け、動画記録のときは第１温度閾値を使い、静止画記録のときは第２温度閾値を使うようにしてもよい。例えば、信号Ｓｗ２で動画記録を実行する設定になっているとき第１温度閾値を使い、これ以外のとき第２温度閾値を使うようにしてもよい。
また、ステップＳ２０７のライブビュー表示のタイムアウト処理を行わなくてもよい。ステップＳ２０７に処理が進むのは、ステップＳ２００において信号Ｓｗ２で動画記録を実行する設定になっていると判定された場合である。このときは、ライブビュー表示のタイムアウト処理を行わなくてもライブビューボタン２１２を押下することでライブビュー表示を容易に終了させられるため、ユーザの操作により撮像素子２０の温度上昇を防げる。そして、タイムアウトでライブビュー表示が不意に停止して撮影機会が損失することを防げる。
【００３６】
ステップＳ２０９において、マイクロコンピュータ４０は、ライブビューボタン２１２の押下により送られる信号を受けたか否かを判定し、この信号を受けたときステップＳ２１０に処理を進め、受けていないときステップＳ２１３に処理を進める。
ステップＳ２１０において、マイクロコンピュータ４０は、ライブビュー表示の実行状態を判定する。マイクロコンピュータ４０は、ライブビュー表示が実行されているときステップＳ２１１に処理を進め、実行されていないときステップＳ２１２に処理を進める。
ステップＳ２１１において、マイクロコンピュータ４０は、動画記録の開始及び終了の処理を行う。動画記録の開始及び終了の処理は、図５Ｄに示す処理と同様の処理である。マイクロコンピュータ４０は、図５Ｄに示す処理の終了後にステップＳ２１３に処理を進める。
ステップＳ２１２において、マイクロコンピュータ４０は、ライブビュー表示の開始の処理を行う。ライブビュー表示の開始の処理は、図５Ｂに示す処理と同様の処理である。マイクロコンピュータ４０は、図５Ｂに示す処理の終了後にステップＳ２１３に処理を進める。
【００３７】
ステップＳ２１３において、マイクロコンピュータ４０は、レリーズボタン２０１又はリモートレリーズボタン３０１の全押しにより送られる信号Ｓｗ２を受けたか否かを判定する。マイクロコンピュータ４０は、信号Ｓｗ２を受けたときステップＳ２１４に処理を進め、受けていないときステップＳ２１５に処理を進める。
ステップＳ２１４において、マイクロコンピュータ４０は、静止画記録を行う。
ステップＳ２１５において、マイクロコンピュータ４０は、ライブビュー表示のタイムアウト処理を行う。ライブビュー表示のタイムアウト処理は、図５Ｅに示す処理と同様の処理である。マイクロコンピュータ４０は、図５Ｅに示す処理の終了後にステップＳ２０８に処理を進める。
ステップＳ２０８において、マイクロコンピュータ４０は、電源スイッチ２０４の操作による電源オフの要求があるか否かを判定する。マイクロコンピュータ４０は、電源オフの要求がないときステップＳ２００に処理を戻し、電源オフの要求があるとき動画モードから抜けるために図５Ａに示す処理を終了する。マイクロコンピュータ４０は、図５Ａの処理を終了した後、電源をオフにするための処理を行う。
【００３８】
以上のように、撮像装置２００は、設定により、レリーズボタン２０１又はリモートレリーズボタン３０１が全押しされたときに送られる信号Ｓｗ２によって動画記録を開始又は終了するようにできる。そして、ライブビューボタン２１２が押下されたときに送られる信号によってライブビュー表示を開始又は終了するようにできる。このため、煩わしい操作をせずに、ライブビュー表示の開始や終了ができ、動画撮影時のライブビュー表示の継続による撮像素子２０の発熱や消費電力をユーザの意図によって抑制できる。また、ライブビュー表示の制御の際に、電源をオフにすること等は不要であるため、動画記録のための撮影設定の保持が容易である。
また、撮像装置２００は、設定により、ライブビューボタン２１２を押されたときに送られる信号によってライブビュー表示を開始したり、動画記録を開始又は終了したりするようにできる。また、レリーズボタン２０１又はリモートレリーズボタン３０１が全押しされたときに送られる信号Ｓｗ２によって静止画を記録するようにできる。このため、操作部材の数を抑えられる。
【００３９】
リモートコントローラ３００は、無線で信号Ｓｗ２をマイクロコンピュータ４０に通知する構成であってもよい。このとき、撮像装置２００は信号Ｓｗ２を受信する無線通信のインタフェースを備える。また、リモートコントローラ３００の代わりに、リモートレリーズボタン３０１付きのバッテリグリップや携帯端末を用いてもよい。
また、ライブビューボタン２１２、レリーズボタン２０１又はリモートレリーズボタン３０１は、タッチパネルに表示されたボタンとしたり、レバー部材であったりしてもよい。
【００４０】
また、上述の実施形態では、レリーズボタン２０１又はリモートレリーズボタン３０１が全押しされたときに送られる信号Ｓｗ２で動画記録を実行するか否かの設定ができる。しかし、レリーズボタン２０１又はリモートレリーズボタン３０１以外のボタン（以下、設定可能ボタンという）が操作されたときに送られる信号で動画記録を実行するか否かの設定をするようにしてもよい。設定可能ボタンが操作されたときに送られる信号で動画記録を実行する設定になっているとき、マイクロコンピュータ４０は次の処理を行う。すなわち、マイクロコンピュータ４０は、図５Ａに示す処理において、信号Ｓｗ２を受けたか否かを判定する代わりに、設定可能ボタンの操作で送られる信号を受けたか否かを判定する。また、ステップＳ２１４では、静止画記録の代わりに、予め設定可能ボタンに割り当てられている情報処理を行う。
これにより、レリーズボタン２０１又はリモートレリーズボタン３０１によって動画記録の開始又は終了をすることがなくなるため、レリーズボタン２０１又はリモートレリーズボタン３０１による静止画の記録が制限されることがない。
【００４１】
また、上述の実施形態では、ライブビューボタン２１２でマイクロコンピュータ４０に通知される信号を信号Ｓｗ３というと、マイクロコンピュータ４０は信号Ｓｗ２又は信号Ｓｗ３を受けたか否かを判定する。すなわち、マイクロコンピュータ４０は、図５ＡのステップＳ２０９で、一方の信号である信号Ｓｗ３を受けたか否かを判定し、ステップＳ２１３で他方の信号である信号Ｓｗ２を受けたか否かを判定する。これに代わり、マイクロコンピュータ４０は、ステップＳ２０９で、他方の信号である信号Ｓｗ２を受けたか否かを判定し、ステップＳ２１３で一方の信号である信号Ｓｗ３を受けたか否かを判定してもよい。これにより、信号Ｓｗ２又は信号Ｓｗ３を通知するライブビューボタン２１２やレリーズボタン２０１の配置等により操作性の向上等が実現できる。
【００４２】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
以上、本発明を実施形態と共に説明したが、上述の実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００４３】
４０  マイクロコンピュータ
１００  レンズユニット
２００  撮像装置
２０１  レリーズボタン
２１２  ライブビューボタン
３００  リモートコントローラ
３０１  リモートレリーズボタン
【図１】
2017046240.tif 000003
【図２】
2017046240.tif 000004
【図３】
2017046240.tif 000005
【図４】
2017046240.tif 000006
【図５Ａ】
2017046240.tif 000007
【図５Ｂ】
2017046240.tif 000008
【図５Ｃ】
2017046240.tif 000009
【図５Ｄ】
2017046240.tif 000010
【図５Ｅ】
2017046240.tif 000011